(57)【要約】【課題】小部品や工具を用いることなく、光ファイバを固定基部に対して容易に固定することのできる光ファイバ固定構造を提供する。【解決手段】光ファイバ２１の両側に補強線２２を配置してそれらを被覆線２３で覆ってなる光ケーブル２０を平面状の固定基部１０に固定する光ケーブル固定構造において、固定基部１０は光ケーブル２０を直線状として保持するケーブル保持部１１と、ケーブル保持部１１から突出してそれぞれに補強線２２が含まれるように分岐した被覆線２３をそれぞれ折返し保持する折返し固定部１２と、折返し固定部１２から折返し方向に突出した被覆線２３を補強線２２の復元力によりそれぞれ側方から押圧保持する被覆線保持部１３とを備えてなる。【選択図】  図６
2004354884.tif 000002
【特許請求の範囲】
【請求項１】
光ファイバの両側に補強線を配置してそれらを被覆線で覆ってなる光ケーブルを平面状の固定基部に固定する光ケーブル固定構造において、
上記固定基部は上記光ケーブルを直線状として保持するケーブル保持部と、分岐させた上記被覆線をそれぞれ折返し保持する折返し固定部と、該折返し固定部から折返し方向にある上記被覆線を前記被覆線の復元力によりそれぞれ側方から押圧保持する被覆線保持部とを備えてなることを特徴とする光ケーブル固定構造。
【請求項２】
上記ケーブル保持部と折返し固定部は上記光ファイバの長さ方向に直列に配置されると共に、上記被覆線保持部は上記ケーブル保持部を中心として上記光ファイバの長さ方向とそれぞれ略平行に配置されることを特徴とする請求項１記載の光ケーブル固定構造。
【請求項３】
上記折返し固定部は固定基部に突起状の固定片を分岐したそれぞれの被覆線に対して２つずつ設けてなり、上記固定片は上記被覆線の折返し部を両側から保持固定することを特徴とする請求項１または２記載の光ケーブル固定構造。
【請求項４】
上記ケーブル保持部と被覆線保持部は上記固定基部から直立する側面壁と、該側面壁の上端から内向きに突出する保持片とからなることを特徴とする請求項１〜３のいずれか１項に記載の光ケーブル固定構造。
【請求項５】
上記固定基部は箱形形状からなるケースの下面近傍に形成され、分岐した上記被覆線の先端は上記ケースの下面に当接することを特徴とする請求項１〜４のいずれか１項に記載の光ケーブル固定構造。
【発明の詳細な説明】
【０００１】
【発明の属する技術分野】
本発明は光ファイバを平面状の固定基部に固定する光ケーブル固定構造に関し、特に光ファイバの被覆線を固定基部に対して折返し固定する光ケーブル固定構造に関する。
【０００２】
【従来の技術】
従来から、通信等に用いられる光ファイバを屋外から建物内に引き込む際に、光信号を電気信号に変換する光電変換部を収納すると共に、光ファイバの余長分を収納する光ファイバ収納ケースが建物外壁面に設けられる。この場合、光ファイバ収納ケースには、光ファイバの引込口近傍に光ファイバの固定部が設けられる。光ファイバは両側に補強線を配置して、それらが被覆線にて覆われて光ケーブルを構成している。補強線は鋼線や強化プラスティック線などからなり、光ケーブルの曲げに対する補強材となっている。被覆線はゴム等からなり、光ファイバが直接露出しないように保護している。
【０００３】
光ファイバの固定部は、例えば特許文献１に示すような構造が知られており、これは光ファイバの被覆を固定する部材によって、光ファイバを挟持、固定すると共に、その固定部材を光ファイバ収納ケースに対して固定するものである。固定部材は、光ファイバ収納ケースとは別部品として構成されており、光ファイバの固定部材に対する止着作業は工具を用いることなく行うことができる。また、特許文献２に示すような構造も知られており、これは光ファイバを固定部に対してネジにより固定するものである。
【０００４】
【特許文献１】
特開平１０−１３３０３０号公報
【特許文献２】
特開２００１−２０１６４０号公報
【０００５】
【発明が解決しようとする課題】
しかし、従来の光ファイバ固定構造においては、以下に述べる問題点を有していた。
特許文献１に示すような構造では、光ファイバをまず固定部材により止着することが必要である。この固定部材は小さいため紛失しやすく、作業現場で紛失した場合には光ファイバを光ファイバ収納ケースに固定することはできなくなる。
また、特許文献２に示すような構造では、小さい部品を扱う必要はないものの、光ファイバを光ファイバ収納ケースに固定するためにネジ止めを行う必要があり、そのための工具が必要となる。また、定期的にネジの緩みを点検する際にも工具が必要である。
【０００６】
本発明は、上記課題を解決すべくなされたものであり、小部品や工具を用いることなく、光ファイバを固定基部に対して容易に固定することのできる光ファイバ固定構造を提供することを目的とする。
【０００７】
【課題を解決するための手段】
上記課題を解決するため、本発明に係る光ファイバ固定構造は、光ファイバの両側に補強線を配置してそれらを被覆線で覆ってなる光ケーブルを平面状の固定基部に固定する光ケーブル固定構造において、
上記固定基部は上記光ケーブルを直線状として保持するケーブル保持部と、分岐させた上記被覆線をそれぞれ折返し保持する折返し固定部と、該折返し固定部から折返し方向にある上記被覆線を前記被覆線の復元力によりそれぞれ側方から押圧保持する被覆線保持部とを備えてなることを特徴として構成されている。
【０００８】
また、本発明に係る光ファイバ固定構造は、上記ケーブル保持部と折返し固定部は上記光ファイバの長さ方向に直列に配置されると共に、上記被覆線保持部は上記ケーブル保持部を中心として上記光ファイバの長さ方向とそれぞれ略平行に配置されることを特徴として構成されている。
【０００９】
さらに、本発明に係る光ファイバ固定構造は、上記折返し固定部は固定基部に突起状の固定片を分岐したそれぞれの被覆線に対して２つずつ設けてなり、上記固定片は上記被覆線の折返し部を両側から保持固定することを特徴として構成されている。
【００１０】
さらにまた、本発明に係る光ファイバ固定構造は、上記ケーブル保持部と被覆線保持部は上記固定基部から直立する側面壁と、該側面壁の上端から内向きに突出する保持片とからなることを特徴として構成されている。
【００１１】
そして、本発明に係る光ファイバ固定構造は、上記固定基部は箱形形状からなるケースの下面近傍に形成され、分岐した上記被覆線の先端は上記ケースの下面に当接することを特徴として構成されている。
【００１２】
【発明の実施の形態】
本発明の実施形態について、図面に沿って詳細に説明する。本実施形態は、本発明に係る光ファイバ固定構造を光ファイバ収納ケースに適用したものである。図１は本実施形態における光ファイバ収納ケース１のカバー体３を開けた状態における平面図であり、図２は本実施形態における光ファイバ収納ケース１の組立斜視図である。また、図３は本実施形態における光ファイバ収納ケース１の斜視図である。これら各図において、本実施形態における光ファイバ収納ケース１は、一面を開口とした箱形形状に形成されたケース本体２に、その開口を覆うカバー体３を開閉自在に設けてなるものである。また、ケース本体２の下面４０近傍には、本発明に係る光ファイバ固定構造となる光ファイバ固定部５が形成される。
【００１３】
光ケーブル２０は、図４に示すように、光ファイバ２１の両側に鋼線または強化プラスティック線からなる補強線２２をそれぞれ配置し、この光ファイバ２１と補強線２２をゴム等からなる被覆線２３にて覆ってなるものである。光ファイバ２１は非常に細く折れやすいため、補強線２２を設けることで光ケーブル２０の曲げに対する強度を確保することができる。また、被覆線２３により光ファイバ２１及び補強線２２、２２を覆っているために、それらを１本のケーブルとして扱うことができると共に、光ファイバ２１を露出しないようにして保護することができる。
【００１４】
光ケーブル２０は、屋外において電柱等を介して建物に引き込まれる。屋外から建物に光ケーブル２０を引き込むには、電柱から建物に光ケーブル２０をある程度の余長を持って引き、図８に示すように建物の外壁面に設けられる光ファイバ収納ケース１に余長分を収納する。光ファイバ収納ケース１内においては、光ケーブル２０の被覆線２３及び補強線２２は除いて、光ファイバ２１のみの状態にして収納する。また、光ファイバ２１の先端は、コネクタ２４を一端に有する別の光ファイバ２９と接続する。コネクタ２４は、光ファイバ収納ケース１内に設けられる光電変換部７の差込口７ａに差込まれる。光電変換部７は、接続された光ファイバ２１の光信号を電気信号に変換して出力端子８に出力する。出力端子８には同軸ケーブル（図示しない）を接続し、その同軸ケーブルが建物内部に引き込まれる。
【００１５】
光ファイバ収納ケース１のケース本体２は、図２に示すようにその内部に箱形の光電変換部７を納めている他は、中空状とされている。また、図３のようにカバー体３を閉じることで下面４０に引込口６が形成される。さらに、ケース本体２の下面４０には、光電変換部７からの出力端子８を設けている。一方、光ファイバ収納ケース１のカバー体３は、ケース本体２の上部側面に設けられたヒンジ部９を介して、ケース本体２に対して開閉自在とされてなるものである。
【００１６】
光ファイバ２１を収納するために、トレイ状に形成された収容トレイ４を光ファイバ収納ケース１とは別体として設けて、これを光ファイバ収納ケース１内に納める。収容トレイ４は、引込んだ光ケーブル２０を保持固定する光ファイバ固定部５と、光ファイバ２１を巻付け固定する収容部３０と、光ファイバ２１と光ファイバ２９とを図示しないメカニカルスプライス等のファイバ結合材により結合し、当該結合材を固定する結合材固定部３１を備え、さらに光ファイバ２９を光電変換部７に接続するためのコネクタ２４を一時的に固定しておくコネクタ保持部３２と、光ファイバ２１を光電変換部７に接続するためのファイバ用開口３３とを備えてなるものである。
【００１７】
次に、本発明に係る光ファイバ固定構造を適用した光ファイバ固定部５について説明する。図５に示す光ファイバ固定部５は、ケース本体２の引込口６から挿入された光ケーブル２０を固定する。本実施形態における光ファイバ固定部５は、ケース本体２の下面４０の近傍における収容トレイ４の底面に平面状の固定基部１０を設け、その固定基部１０に光ケーブル２０を固定するためのケーブル保持部１１と折返し固定部１２及び被覆線保持部１３を設けてなるもので、この光ファイバ固定部５を２つ並べている。したがって、本実施形態における光ファイバ収納ケース１は、２本の光ファイバ２１を固定し、収納することができる。
【００１８】
図６に示すように、引込口６から挿入された光ケーブル２０は、ケーブル保持部１１に直線状に固定され、その先で被覆線２３を２つに分岐させて光ファイバ２１を露出させる。ここで、２つの被覆線２３は、それぞれ内部に補強線２２を有するように分岐される。分岐された被覆線２３は、折返し固定部１２によって折返され、その被覆線２３はさらに被覆線保持部１３によって側方から押圧・固定される。このように、本実施形態における光ファイバ固定部５は、被覆線２３を２つに分岐して折返し、それらを固定することにより、光ケーブル２０を固定するものである。
【００１９】
図７には光ファイバ固定部５の断面図を示す。この図に示すように、ケーブル保持部１１は、固定基部１０から略垂直方向に突出する側面壁１１ａと、その側面壁１１ａの先端から保持する光ケーブル２０の方向に突出する保持片１１ｂとからなっており、光ケーブル２０を左右及び上下方向に保持固定する。折返し固定部１２は、固定基部１０に対して円柱突起状に形成される固定片１２ａ、１２ａを、分岐する被覆線２３、２３に対してそれぞれ２つずつ設けてなり、２つの固定片１２ａ、１２ａの間に被覆線２３が保持固定されるようにする。また、これら固定片１２ａ、１２ａによって被覆線２３は逆方向に折返される。
【００２０】
折返された被覆線２３、２３は、それぞれ折返し固定部１２からさらに折返し方向に突出し、被覆線保持部１３、１３に保持固定される。被覆線保持部１３は、固定基部１０から直立してなる側面壁１３ａと、その側面壁１３ａの上端から保持する被覆線２３の方向に突出する保持片１３ｂとからなっており、被覆線２３を側方から保持固定する。ここで、２つの光ファイバ固定部５において隣り合う被覆線保持部１３の側面壁１３ａは共有しており、側面壁１３ａの両側面をそれぞれ被覆線保持部１３として用いている。
【００２１】
折返された被覆線２３は、元に戻ろうとする復元力を発生し、さらに被覆線２３の内部に補強線２２を有するように分岐している場合は、より強い元に戻ろうとする復元力を発生する。したがって、被覆線保持部１３は、補強線２２の復元力に対する反力により被覆線２３を押圧する。これによって、折返し固定部１２で折返された被覆線２３は、被覆線保持部１３によって強固に固定されるので、光ケーブル２０に力が加わっても、光ファイバ固定部５は光ケーブル２０を強固に固定しておくことができる。
【００２２】
図６は、図５の光ファイバ固定部５の拡大図において光ケーブル２０を固定した状態を示している。この図に示すように、ケーブル保持部１１から突出した光ケーブル２０は、２つに分岐されると共に、露出した光ファイバ２１はそのまま光ファイバ収納ケース１内に延びている。２つに分岐された被覆線２３は、折返し固定部１２によって折返され、その折返し方向にさらに突出して被覆線保持部１３に押圧保持される。
【００２３】
被覆線２３の先端は、ケース本体２の下面４０に当接する。すなわち、分岐させた被覆線２３は、ケース本体２の下面４０に当接する長さに切断される。被覆線２３の長さをこのようにすることで、被覆線２３がそれ以上動かないようにすることができ、光ケーブル２０に力が加わっても光ファイバ固定部５はさらに強固に光ケーブル２０を固定しておくことができる。
【００２４】
図８には、収容トレイ４に光ファイバ２１を収容した状態の平面図を示す。屋外の光ケーブル２０を建物内に引き込む際には、あらかじめ光ファイバ収納ケース１を建物の外壁に取付けておく。引き込みたい光ケーブル２０はある程度余長を持って用意しておいて、それを収容トレイ４の光ファイバ固定部５に固定する。被覆を除いた光ファイバ２１の余長分は、収容部３０に巻付けて収容する。また、その光ファイバ２１と、一端にコネクタ２４を備えた光ファイバ２９の結合部を結合材固定部３１に固定する。コネクタ２４を備えた光ファイバ２９も収容部３０に巻付け収容し、コネクタ２４はコネクタ保持部３２に一時的に固定する。このように光ケーブル２０を固定・収容した収容トレイ４を光ファイバ収納ケース１に取付け、ファイバ用開口３３を介してコネクタ２４を光電変換部７に接続する。これにより、屋外の光ケーブル２０を建物に対して接続することができる。
【００２５】
これまで本発明の実施形態について説明したが、本発明の適用はこの実施形態には限られず、技術的思想の範囲内において様々に適用されうるものである。例えば、本実施形態では、本発明を光ファイバ収納ケースに適用したものを示したが、これだけではなく、光ケーブルを保持してそれ以降の部分については被覆を除くような固定を行うものであれば、どのようなものにも適用可能である。
【００２６】
【発明の効果】
以上のように、本発明に係る光ケーブル固定構造によれば、固定基部は光ケーブルを直線状として保持するケーブル保持部と、ケーブル保持部から突出してそれぞれに補強線が含まれるように分岐した被覆線をそれぞれ折返し保持する折返し固定部と、折返し固定部から折返し方向に突出した被覆線を補強線の復元力によりそれぞれ側方から押圧保持する被覆線保持部とを備えてなることにより、光ケーブルの固定において小さな別部品や工具を用いることなく、容易に固定することができる。また、補強線の復元力により、強固な固定を行うことができる。
【００２７】
また、本発明に係る光ケーブル固定構造によれば、折返し固定部は固定基部に突起状の固定片を分岐したそれぞれの被覆線に対して２つずつ設けてなり、固定片は被覆線の折返し部を両側から保持固定することにより、被覆線を固定部分に容易に差入れることができ、被覆線の折返し固定部に対する固定を容易に行うことができる。
【００２８】
さらに、本発明に係る光ケーブル固定構造によれば、ケーブル保持部と被覆線保持部は固定基部から直立する側面壁と、側面壁の上端から内向きに突出する保持片とからなることにより、光ケーブルまたは被覆線を左右及び上下方向に固定することができ、より強固な固定をすることができる。
【００２９】
さらにまた、本発明に係る光ケーブル固定構造によれば、固定基部は箱形形状からなるケースの下面近傍に形成され、分岐した被覆線の先端はケースの下面に当接することにより、被覆線保持部に固定された被覆線がそれ以上動かない位置に配置されることになり、光ケーブルの固定を確実に行うことができる。
【図面の簡単な説明】
【図１】本実施形態における光ファイバ収納ケースのカバー体を開けた状態における平面図である。
【図２】本実施形態における光ファイバ収納ケースの組立斜視図である。
【図３】本実施形態における光ファイバ収納ケースの斜視図である。
【図４】本実施形態における光ファイバの斜視図である。
【図５】本実施形態における光ファイバ収納ケースの光ファイバ固定部を拡大した平面図である。
【図６】図５において光ケーブルを固定した状態を示した図である。
【図７】図６のＡ−Ａ断面図である。
【図８】本実施形態の収容トレイに光ファイバを収容した状態の平面図である。
【符号の説明】
１      光ファイバ収納ケース
２      ケース本体
３      カバー体
４      収容トレイ
５      光ファイバ固定部
６      引込口
７      光電変換部
１０      固定基部
１１      ケーブル保持部
１１ａ    側面壁
１１ｂ    保持片
１２      折返し固定部
１２ａ    固定片
１３      被覆線保持部
１３ａ    側面壁
１３ｂ    保持片
２０      光ケーブル
２１      光ファイバ
２２      補強線
２３      被覆線
２４      コネクタ
２９      光ファイバ
３０      収容部
３２      コネクタ保持部
３３      ファイバ用開口
４０      下面
【図１】
2004354884.tif 000003
【図２】
2004354884.tif 000004
【図３】
2004354884.tif 000005
【図４】
2004354884.tif 000006
【図５】
2004354884.tif 000007
【図６】
2004354884.tif 000008
【図７】
2004354884.tif 000009
【図８】
2004354884.tif 000010